(57)【要約】【課題】微灯モードでの電力損失を低減することができるＬＥＤ駆動回路を提供する。【解決手段】定電流の値を設定する抵抗Ｒ１と、ＤＣ出力電圧を出力するスイッチング電源回路（ＮチャネルＭＯＳＦＥＴ１、制御回路２’、スイッチングトランスＴ１、ダイオードＤ１、及びコンデンサＣ２）と、前記ＤＣ出力電圧を入力し、前記定電流を出力してＬＥＤ７を駆動する定電流電源回路（ドライバ６’、ダイオードＤ２、コイルＬ１、及びコンデンサＣ３）とを備え、通常点灯モードよりも少電流でＬＥＤ７を駆動する微灯モードである場合に、前記スイッチング電源回路内の発振回路及び前記定電流電源回路内の発振回路の少なくとも一つの発振周波数を前記通常点灯モードのときよりも低下させるＬＥＤ駆動回路。【選択図】図１
2009200146.tif 000002
【特許請求の範囲】
【請求項１】
定電流の値を設定する定電流値設定手段を備え、ＬＥＤに前記定電流を供給して前記ＬＥＤを駆動するＬＥＤ駆動回路において、
通常点灯モードよりも少電流で前記ＬＥＤを駆動する微灯モードである場合に、前記ＬＥＤ駆動回路内の発振回路の発振周波数を前記通常点灯モードのときよりも低下させることを特徴とするＬＥＤ駆動回路。
【請求項２】
ＤＣ出力電圧を出力するスイッチング電源回路と、
前記ＤＣ出力電圧を入力し、前記定電流を出力して前記ＬＥＤを駆動する定電流電源回路とを備え、
前記微灯モードである場合に、前記スイッチング電源回路内の発振回路及び前記定電流電源回路内の発振回路の少なくとも一つの発振周波数を前記通常点灯モードのときよりも低下させる請求項１に記載のＬＥＤ駆動回路。
【請求項３】
前記微灯モードを、前記ＬＥＤを流れる電流を検出して検出する請求項１又は請求項２に記載のＬＥＤ駆動回路。
【請求項４】
前記微灯モードを、前記スイッチング電源回路内のスイッチング素子を流れる電流を検出して検出する請求項２に記載のＬＥＤ駆動回路。
【請求項５】
前記微灯モードを、前記ＬＥＤ電源回路の入力電流を検出して検出する請求項１又は請求項２に記載のＬＥＤ駆動回路。
【請求項６】
前記微灯モードを、外部信号により検出する請求項１又は請求項２に記載のＬＥＤ駆動回路。
【請求項７】
前記微灯モードを、前記ＬＥＤの光量を検出して検出する請求項１又は請求項２に記載のＬＥＤ駆動回路。
【請求項８】
前記微灯モードである場合に、前記スイッチング電源回路内の発振回路の発振周波数を前記通常点灯モードのときよりも低下させるときは前記定電流電源回路内の発振回路の発振周波数を低下させず、前記定電流電源回路内の発振回路の発振周波数を前記通常点灯モードのときよりも低下させるときは前記スイッチング電源回路内の発振回路の発振周波数を低下させない請求項２に記載のＬＥＤ駆動回路。
【請求項９】
請求項１〜８のいずれか１項に記載のＬＥＤ駆動回路を用いたことを特徴とするＬＥＤ照明機器。
【発明の詳細な説明】
【技術分野】
【０００１】
本発明は、ＬＥＤを駆動するＬＥＤ駆動回路及びそれを用いたＬＥＤ照明機器に関する。
【背景技術】
【０００２】
従来の技術について図１５を参照して説明する。図１５は従来の照明用ＬＥＤ駆動回路の一構成例を示す図である。図１５に示すＬＥＤ駆動回路は、交流入力電圧Ｖｉｎをダイオードブリッジ回路ＤＢ１で全波整流した後、平滑コンデンサＣ１で平滑化することで得られた１次側ＤＣ入力電圧を、ＮチャネルＭＯＳＦＥＴ１、制御回路２、スイッチングトランスＴ１、ダイオードＤ１、及びコンデンサＣ２を備えるスイッチング電源によって、２次側ＤＣ出力電圧に変換する。そして、図１５に示すＬＥＤ駆動回路は、２次側ＤＣ出力電圧を抵抗Ｒ２及びＲ３によって検出し、その検出結果をシャントレギュレータ３とフォトダイオード４及びフォトトランジスタ５から成るフォトカプラとを介して制御回路２へフィードバックし、制御回路２がＮチャネルＭＯＳＦＥＴ１のデューティを２次側ＤＣ出力電圧の値に応じて制御することにより、２次側ＤＣ出力電圧の安定化を図る。さらに、図１５に示すＬＥＤ駆動回路は、ドライバ６、ダイオードＤ２、コイルＬ１、及びコンデンサＣ３を備える定電流電源回路が、安定化された２次側ＤＣ出力電圧を入力し、抵抗Ｒ１によって設定された定電流をＬＥＤ７に出力することにより、ＬＥＤ７を駆動する。
【０００３】
【特許文献１】特表２００３−５２２３９３号公報（段落０００２）
【特許文献２】特開２００４−２０６３８５号公報
【特許文献３】特開２００６−１７４６７７号公報
【特許文献４】特開２００７−１７４７２３号公報
【発明の開示】
【発明が解決しようとする課題】
【０００４】
従来の照明用ＬＥＤ駆動回路は通常点灯モードでの効率は様々な手段で高効率化を図っているが、夜間等の長時間に渡って微灯モード（通常点灯モードよりも少電流でＬＥＤを駆動するモード）の状態が続く場合、効率が悪くなり電力損失が増えるという欠点があった（特許文献１参照）。
【０００５】
本発明は、上記の状況に鑑み、微灯モードでの電力損失を低減することができるＬＥＤ駆動回路及びそれを用いたＬＥＤ照明機器を提供することを目的とする。
【課題を解決するための手段】
【０００６】
上記目的を達成するために本発明に係るＬＥＤ駆動回路は、定電流の値を設定する定電流値設定手段を備え、ＬＥＤに前記定電流を供給して前記ＬＥＤを駆動するＬＥＤ駆動回路であって、通常点灯モードよりも少電流で前記ＬＥＤを駆動する微灯モードである場合に、前記ＬＥＤ駆動回路内の発振回路の発振周波数を前記通常点灯モードのときよりも低下させるようにしている。
【０００７】
このような構成によると、微灯モードである場合、前記ＬＥＤ駆動回路内の発振回路の発振周波数が通常点灯モードのときよりも低下するので、発振周波数の低下分だけ発振時のスイッチング損失が低減される。したがって、微灯モードでの電力損失を低減することができる。
【０００８】
また、ＤＣ出力電圧を出力するスイッチング電源回路と、前記ＤＣ出力電圧を入力し、前記定電流を出力して前記ＬＥＤを駆動する定電流電源回路とを備え、前記微灯モードである場合に、前記スイッチング電源回路内の発振回路及び前記定電流電源回路内の発振回路の少なくとも一つの発振周波数を前記通常点灯モードのときよりも低下させるようにしてもよい。
【０００９】
また、前記微灯モードを、前記ＬＥＤを流れる電流を検出して検出するようにしてもよい。
【００１０】
また、前記微灯モードを、前記スイッチング電源回路内のスイッチング素子を流れる電流を検出して検出するようにしてもよい。
【００１１】
また、前記微灯モードを、前記ＬＥＤ電源回路の入力電流を検出して検出するようにしてもよい。
【００１２】
また、前記微灯モードを、外部信号により検出するようにしてもよい。
【００１３】
また、前記微灯モードを、前記ＬＥＤの光量を検出して検出するようにしてもよい。
【００１４】
また、前記微灯モードである場合に、前記スイッチング電源回路内の発振回路の発振周波数を前記通常点灯モードのときよりも低下させるときは前記定電流電源回路内の発振回路の発振周波数を低下させず、前記定電流電源回路内の発振回路の発振周波数を前記通常点灯モードのときよりも低下させるときは前記スイッチング電源回路内の発振回路の発振周波数を低下させないようにしてもよい。
【００１５】
また、上記目的を達成するために本発明に係るＬＥＤ照明機器は、上記いずれかのＬＥＤ駆動回路を用いるようにする。
【発明の効果】
【００１６】
本発明に係るＬＥＤ駆動回路及びそれを用いたＬＥＤ照明機器によると、微灯モードである場合、前記ＬＥＤ駆動回路内の発振回路の発振周波数が通常点灯モードのときよりも低下するので、発振周波数の低下分だけ発振時のスイッチング損失が低減される。したがって、微灯モードでの電力損失を低減することができる。
【発明を実施するための最良の形態】
【００１７】
まず、本発明の第一実施形態について図１を参照して説明する。図１は本発明の第一実施形態に係るＬＥＤ駆動回路の構成を示す図である。なお、図１において図１５と同一の部分には同一の符号を付し、詳細な説明を省略する。
【００１８】
図１に示すＬＥＤ駆動回路は、図１５に示すＬＥＤ駆動回路において、制御回路２を内部の発振回路（不図示）の発振周波数が変更可能な制御回路２’に置換し、ドライバ６を内部の発振回路（不図示）の発振周波数が変更可能なドライバ６’に置換し、更に、微灯モード検出回路８と、発振周波数低下回路９及び１０とを設けた構成である。微灯モード検出回路８は、微灯モードを検出する回路である。また、発振周波数低下回路９は、微灯モード検出回路８によって微灯モードが検出されている場合に、ドライバ６’内の発振回路の発振周波数を通常点灯モードのときよりも低下させる回路であり、発振周波数低下回路１０は、微灯モード検出回路８によって微灯モードが検出されている場合に、制御回路２’内の発振回路の発振周波数を通常点灯モードのときよりも低下させる回路である。
【００１９】
このような構成によると、微灯モードである場合、制御回路２’内の発振回路及びドライバ６’内の発振回路の発振周波数が通常点灯モードのときよりも低下するので、発振周波数の低下分だけ発振時のスイッチング損失が低減される。したがって、微灯モードでの電力損失を低減することができる。
【００２０】
次に、本発明の第二実施形態について図２を参照して説明する。図２は本発明の第二実施形態に係るＬＥＤ駆動回路の構成を示す図である。なお、図２において図１５と同一の部分には同一の符号を付し、詳細な説明を省略する。
【００２１】
図２に示すＬＥＤ駆動回路は、図１５に示すＬＥＤ駆動回路において、ドライバ６を内部の発振回路（不図示）の発振周波数が変更可能なドライバ６’に置換し、更に、微灯モード検出回路８Ａと、発振周波数低下回路９とを設けた構成である。微灯モード検出回路８Ａは、ＬＥＤ７を流れる電流を検出して微灯モードを検出する回路であり、ＬＥＤ７を流れる電流が所定範囲（微灯モードに対応するＬＥＤ電流範囲）内である場合に微灯モードを検出する。また、発振周波数低下回路９は、微灯モード検出回路８Ａによって微灯モードが検出されている場合に、ドライバ６’内の発振回路の発振周波数を通常点灯モードのときよりも低下させる回路である。
【００２２】
このような構成によると、微灯モードである場合、ドライバ６’内の発振回路の発振周波数が通常点灯モードのときよりも低下するので、発振周波数の低下分だけ発振時のスイッチング損失が低減される。したがって、微灯モードでの電力損失を低減することができる。
【００２３】
次に、本発明の第三実施形態について図３を参照して説明する。図３は本発明の第三実施形態に係るＬＥＤ駆動回路の構成を示す図である。なお、図３において図１５と同一の部分には同一の符号を付し、詳細な説明を省略する。
【００２４】
図３に示すＬＥＤ駆動回路は、図１５に示すＬＥＤ駆動回路において、ドライバ６を内部の発振回路（不図示）の発振周波数が変更可能なドライバ６’に置換し、更に、微灯モード検出回路８Ｂと、発振周波数低下回路９とを設けた構成である。微灯モード検出回路８Ｂは、ＮチャネルＭＯＳＦＥＴ１を流れる電流を検出して微灯モードを検出する回路であり、ＮチャネルＭＯＳＦＥＴ１を流れる電流が所定範囲（微灯モードに対応するＭＯＳＦＥＴ電流範囲）内である場合に微灯モードを検出する。また、発振周波数低下回路９は、微灯モード検出回路８Ｂによって微灯モードが検出されている場合に、ドライバ６’内の発振回路の発振周波数を通常点灯モードのときよりも低下させる回路である。
【００２５】
このような構成によると、微灯モードである場合、ドライバ６’内の発振回路の発振周波数が通常点灯モードのときよりも低下するので、発振周波数の低下分だけ発振時のスイッチング損失が低減される。したがって、微灯モードでの電力損失を低減することができる。
【００２６】
次に、本発明の第四実施形態について図４を参照して説明する。図４は本発明の第四実施形態に係るＬＥＤ駆動回路の構成を示す図である。なお、図４において図１５と同一の部分には同一の符号を付し、詳細な説明を省略する。
【００２７】
図４に示すＬＥＤ駆動回路は、図１５に示すＬＥＤ駆動回路において、ドライバ６を内部の発振回路（不図示）の発振周波数が変更可能なドライバ６’に置換し、更に、微灯モード検出回路８Ｃと、発振周波数低下回路９とを設けた構成である。微灯モード検出回路８Ｃは、図４に示すＬＥＤ駆動回路の入力電流を検出して微灯モードを検出する回路であり、図４に示すＬＥＤ駆動回路の入力電流（実効値）が所定範囲（微灯モードに対応する入力電流範囲）内である場合に微灯モードを検出する。また、発振周波数低下回路９は、微灯モード検出回路８Ｃによって微灯モードが検出されている場合に、ドライバ６’内の発振回路の発振周波数を通常点灯モードのときよりも低下させる回路である。
【００２８】
このような構成によると、微灯モードである場合、ドライバ６’内の発振回路の発振周波数が通常点灯モードのときよりも低下するので、発振周波数の低下分だけ発振時のスイッチング損失が低減される。したがって、微灯モードでの電力損失を低減することができる。
【００２９】
次に、本発明の第五実施形態について図５を参照して説明する。図５は本発明の第五実施形態に係るＬＥＤ駆動回路の構成を示す図である。なお、図５において図１５と同一の部分には同一の符号を付し、詳細な説明を省略する。
【００３０】
図５に示すＬＥＤ駆動回路は、図１５に示すＬＥＤ駆動回路において、制御回路２を内部の発振回路（不図示）の発振周波数が変更可能な制御回路２’に置換し、更に、微灯モード検出回路８Ａと、発振周波数低下回路１０とを設けた構成である。微灯モード検出回路８Ａは、ＬＥＤ７を流れる電流を検出して微灯モードを検出する回路であり、ＬＥＤ７を流れる電流が所定範囲（微灯モードに対応するＬＥＤ電流範囲）内である場合に微灯モードを検出する。また、発振周波数低下回路１０は、微灯モード検出回路８Ａによって微灯モードが検出されている場合に、制御回路２’内の発振回路の発振周波数を通常点灯モードのときよりも低下させる回路である。
【００３１】
このような構成によると、微灯モードである場合、制御回路２’内の発振回路の発振周波数が通常点灯モードのときよりも低下するので、発振周波数の低下分だけ発振時のスイッチング損失が低減される。したがって、微灯モードでの電力損失を低減することができる。
【００３２】
次に、本発明の第六実施形態について図６を参照して説明する。図６は本発明の第六実施形態に係るＬＥＤ駆動回路の構成を示す図である。なお、図６において図１５と同一の部分には同一の符号を付し、詳細な説明を省略する。
【００３３】
図６に示すＬＥＤ駆動回路は、図１５に示すＬＥＤ駆動回路において、制御回路２を内部の発振回路（不図示）の発振周波数が変更可能な制御回路２’に置換し、更に、微灯モード検出回路８Ｂと、発振周波数低下回路１０とを設けた構成である。微灯モード検出回路８Ｂは、ＮチャネルＭＯＳＦＥＴ１を流れる電流を検出して微灯モードを検出する回路であり、ＮチャネルＭＯＳＦＥＴ１を流れる電流が所定範囲（微灯モードに対応するＭＯＳＦＥＴ電流範囲）内である場合に微灯モードを検出する。また、発振周波数低下回路１０は、微灯モード検出回路８Ｂによって微灯モードが検出されている場合に、制御回路２’内の発振回路の発振周波数を通常点灯モードのときよりも低下させる回路である。
【００３４】
このような構成によると、微灯モードである場合、制御回路２’内の発振回路の発振周波数が通常点灯モードのときよりも低下するので、発振周波数の低下分だけ発振時のスイッチング損失が低減される。したがって、微灯モードでの電力損失を低減することができる。
【００３５】
次に、本発明の第七実施形態について図７を参照して説明する。図７は本発明の第七実施形態に係るＬＥＤ駆動回路の構成を示す図である。なお、図７において図１５と同一の部分には同一の符号を付し、詳細な説明を省略する。
【００３６】
図７に示すＬＥＤ駆動回路は、図１５に示すＬＥＤ駆動回路において、制御回路２を内部の発振回路（不図示）の発振周波数が変更可能な制御回路２’に置換し、更に、微灯モード検出回路８Ｃと、発振周波数低下回路１０とを設けた構成である。微灯モード検出回路８Ｃは、図７に示すＬＥＤ駆動回路の入力電流を検出して微灯モードを検出する回路であり、図７に示すＬＥＤ駆動回路の入力電流（実効値）が所定範囲（微灯モードに対応する入力電流範囲）内である場合に微灯モードを検出する。また、発振周波数低下回路１０は、微灯モード検出回路８Ｃによって微灯モードが検出されている場合に、制御回路２’内の発振回路の発振周波数を通常点灯モードのときよりも低下させる回路である。
【００３７】
このような構成によると、微灯モードである場合、制御回路２’内の発振回路の発振周波数が通常点灯モードのときよりも低下するので、発振周波数の低下分だけ発振時のスイッチング損失が低減される。したがって、微灯モードでの電力損失を低減することができる。
【００３８】
次に、本発明の第八実施形態について図８を参照して説明する。図８は本発明の第八実施形態に係るＬＥＤ駆動回路の構成を示す図である。なお、図８において図１５と同一の部分には同一の符号を付し、詳細な説明を省略する。
【００３９】
図８に示すＬＥＤ駆動回路は、図１５に示すＬＥＤ駆動回路において、ドライバ６を内部の発振回路（不図示）の発振周波数が変更可能なドライバ６’に置換し、更に、発振周波数低下回路９を設けた構成である。発振周波数低下回路９は、マイコン等（不図示）から送出される検出モードであることを示す外部信号Ｓ１を受け取っている場合に、ドライバ６’内の発振回路の発振周波数を通常点灯モードのときよりも低下させる回路である。
【００４０】
このような構成によると、微灯モードである場合、ドライバ６’内の発振回路の発振周波数が通常点灯モードのときよりも低下するので、発振周波数の低下分だけ発振時のスイッチング損失が低減される。したがって、微灯モードでの電力損失を低減することができる。
【００４１】
次に、本発明の第九実施形態について図９を参照して説明する。図９は本発明の第九実施形態に係るＬＥＤ駆動回路の構成を示す図である。なお、図９において図１５と同一の部分には同一の符号を付し、詳細な説明を省略する。
【００４２】
図９に示すＬＥＤ駆動回路は、図１５に示すＬＥＤ駆動回路において、制御回路２を内部の発振回路（不図示）の発振周波数が変更可能な制御回路２’に置換し、更に、発振周波数低下回路１０を設けた構成である。発振周波数低下回路１０は、マイコン等（不図示）から送出される検出モードであることを示す外部信号Ｓ１を受け取っている場合に、制御回路２’内の発振回路の発振周波数を通常点灯モードのときよりも低下させる回路である。
【００４３】
このような構成によると、微灯モードである場合、制御回路２’内の発振回路の発振周波数が通常点灯モードのときよりも低下するので、発振周波数の低下分だけ発振時のスイッチング損失が低減される。したがって、微灯モードでの電力損失を低減することができる。
【００４４】
次に、本発明の第十実施形態について図１０を参照して説明する。図１０は本発明の第十実施形態に係るＬＥＤ駆動回路の構成を示す図である。なお、図１０において図１５と同一の部分には同一の符号を付し、詳細な説明を省略する。
【００４５】
図１０に示すＬＥＤ駆動回路は、図１５に示すＬＥＤ駆動回路において、ドライバ６を内部の発振回路（不図示）の発振周波数が変更可能なドライバ６’に置換し、更に、照度センサ１１と、発振周波数低下回路９とを設けた構成である。照度センサ１１は、ＬＥＤ７の光量を検出する回路である。また、発振周波数低下回路９は、照度センサ１１によって検出されているＬＥＤ７の光量が所定範囲（微灯モードに対応するＬＥＤ光量範囲）内である場合に、ドライバ６’内の発振回路の発振周波数を通常点灯モードのときよりも低下させる回路である。
【００４６】
このような構成によると、微灯モードである場合、ドライバ６’内の発振回路の発振周波数が通常点灯モードのときよりも低下するので、発振周波数の低下分だけ発振時のスイッチング損失が低減される。したがって、微灯モードでの電力損失を低減することができる。
【００４７】
次に、本発明の第十一実施形態について図１１を参照して説明する。図１１は本発明の第十一実施形態に係るＬＥＤ駆動回路の構成を示す図である。なお、図１１において図１５と同一の部分には同一の符号を付し、詳細な説明を省略する。
【００４８】
図１１に示すＬＥＤ駆動回路は、図１５に示すＬＥＤ駆動回路において、制御回路２を内部の発振回路（不図示）の発振周波数が変更可能な制御回路２’に置換し、更に、照度センサ１１と、発振周波数低下回路１０とを設けた構成である。照度センサ１１は、ＬＥＤ７の光量を検出する回路である。また、発振周波数低下回路１０は、照度センサ１１によって検出されているＬＥＤ７の光量が所定範囲（微灯モードに対応するＬＥＤ光量範囲）内である場合に、制御回路２’内の発振回路の発振周波数を通常点灯モードのときよりも低下させる回路である。
【００４９】
このような構成によると、微灯モードである場合、制御回路２’内の発振回路の発振周波数が通常点灯モードのときよりも低下するので、発振周波数の低下分だけ発振時のスイッチング損失が低減される。したがって、微灯モードでの電力損失を低減することができる。
【００５０】
次に、本発明の第十二実施形態について図１２を参照して説明する。図１２は本発明の第十二実施形態に係るＬＥＤ駆動回路の構成を示す図である。なお、図１２において図１５と同一の部分には同一の符号を付し、詳細な説明を省略する。
【００５１】
図１２に示すＬＥＤ駆動回路は、図１５に示すＬＥＤ駆動回路において、制御回路２を内部の発振回路（不図示）の発振周波数が変更可能な制御回路２’に置換し、ドライバ６を内部の発振回路（不図示）の発振周波数が変更可能なドライバ６’に置換し、更に、微灯モード検出回路８Ｄと、発振周波数低下回路９及び１０とを設けた構成である。微灯モード検出回路８Ｄは、微灯モードを検出する回路であって、微灯モードを検出している場合に、発振周波数低下回路９を動作させるときは発振周波数低下回路１０を動作させず、発振周波数低下回路１０を動作させるときは発振周波数低下回路９を動作させない。また、発振周波数低下回路９は、微灯モード検出回路８Ｄによって動作が指示されている場合に、ドライバ６’内の発振回路の発振周波数を通常点灯モードのときよりも低下させる回路であり、発振周波数低下回路１０は、微灯モード検出回路８Ｄによって動作が指示されている場合に、制御回路２’内の発振回路の発振周波数を通常点灯モードのときよりも低下させる回路である。
【００５２】
上述した第一実施形態の図１に示すＬＥＤ駆動回路のように、微灯モードである場合に、制御回路２’内の発振回路及びドライバ６’内の発振回路双方の発振周波数を通常点灯モードのときよりも低下させると、干渉現象および電源動作上の安定化が損なわれるおそれがある。これに対して、本実施形態の図１２に示すＬＥＤ駆動回路は、微灯モードである場合に、制御回路２’内の発振回路の発振周波数を通常点灯モードのときよりも低下させるときはドライバ６’内の発振回路の発振周波数を低下させず、ドライバ６’内の発振回路の発振周波数を通常点灯モードのときよりも低下させるときは制御回路２‘内の発振回路の発振周波数を低下させないので、干渉現象および電源動作上の安定化が損なわれるおそれがない。また、本実施形態の図１２に示すＬＥＤ駆動回路は、微灯モードである場合、発振回路の発振周波数の低下分だけ発振時のスイッチング損失が低減される。したがって、微灯モードでの電力損失を低減することができる。
【００５３】
次に、内部の発振回路の発振周波数が変更可能な制御回路２’及び内部の発振回路の発振周波数が変更可能なドライバ６’の構成について説明する。制御回路２’の一構成例を図１３に示し、ドライバ６’の一構成例を図１４に示す。なお、図１３及び図１４において図１と同一の部分には同一の符号を付し、詳細な説明を省略する。
【００５４】
図１３に示す制御回路２’は、アノードに１次側ＤＣ入力電圧ＶDC1（例えば図１に示す交流入力電圧Ｖｉｎをダイオードブリッジ回路ＤＢ１で全波整流した後、平滑コンデンサＣ１で平滑化することで得られる電圧）が印加されるダイオード２１と、プルアップ抵抗２２と、発振回路２３と、基準電圧源２４と、ＰＷＭコンパレータ２５と、ドライブ回路２６とを備えている。
【００５５】
ＰＷＭコンパレータ２５の第１入力端子Ｐ１には、発振回路２３から出力される発振信号が入力され、ＰＷＭコンパレータ２５の第２入力端子Ｐ２には、プルアップ抵抗２２とフォトトランジスタ５との接続点電圧が入力され、ＰＷＭコンパレータの第３入力端子Ｐ３には、基準電圧源２４から供給される基準電圧Ｖｒｅｆが入力される。ＰＷＭコンパレータ２５は、発振回路２３から出力される発振信号の周期で、かつ第２入力端子Ｐ２への入力電圧と第３の入力端子Ｐ３への入力電圧のうち、いずれか低い方の電圧に対応したパルス幅のＰＷＭ出力を行う。ドライブ回路２６はＰＷＭコンパレータ２５のＰＷＭ出力を受けて、そのＰＷＭ出力に応じたパルス信号をＮチャネルＭＯＳＦＥＴ１のゲートに供給してＮチャネルＭＯＳＦＥＴ１をオン／オフする。
【００５６】
発振回路２３は、発振周波数低下回路１０の制御により、例えば時定数を切換えて発振周波数を変更する。
【００５７】
図１４に示すドライバ６’は、ＮチャネルＭＯＳＦＥＴ６１と、エラーアンプ６２と、基準電圧源６３と、ＰＷＭコンパレータ６４と、発振回路６５と、ドライブ回路６６とを備えている。
【００５８】
ドライバ６’、ダイオードＤ２、コイルＬ１、及びコンデンサＣ３を備える定電流電源回路は、ドライブ回路６６がＮチャネルＭＯＳＦＥＴ６１をオン／オフすることにより、２次側ＤＣ出力電圧ＶDC2（例えば、図１に示すＮチャネルＭＯＳＦＥＴ１、制御回路２’、スイッチングトランスＴ１、ダイオードＤ１、及びコンデンサＣ２を備えるスイッチング電源の出力電圧）を降圧した電圧をコンデンサＣ３の両端に発生させて、ＬＥＤ７を駆動する。
【００５９】
そして、ＬＥＤ７を流れる電流に抵抗Ｒ１の抵抗値を乗じた電圧がエラーアンプ６２の非反転入力端子に供給され、基準電圧源６３からエラーアンプ６２の反転入力端子に供給される基準電圧Ｖｒｅｆと比較される。これにより、エラーアンプ６２の出力には二入力端子間の電圧差に応じた電圧が現れ、この電圧がＰＷＭコンパレータ６４の非反転入力端子に供給される。
【００６０】
ＰＷＭコンパレータ６４の反転入力端子に入力される信号は、発振回路６５から出力される鋸歯状波信号であり、この信号がＰＷＭコンパレータ６４によってエラーアンプ６２の出力電圧レベルと比較される。その結果、エラーアンプ６２の出力電圧レベルが鋸歯状波信号より高くなる期間では、ＰＷＭコンパレータ６４のＰＷＭ出力はＨｉｇｈレベルになり、エラーアンプ６２の出力電圧レベルが鋸歯状波信号より低くなる期間では、ＰＷＭコンパレータ６４のＰＷＭ出力はＬｏｗレベルになる。
【００６１】
そして、ドライブ回路６６はＰＷＭコンパレータ６４のＰＷＭ出力を受けて、そのＰＷＭ出力に応じたパルス信号をＮチャネルＭＯＳＦＥＴ６１のゲートに供給してＮチャネルＭＯＳＦＥＴ６１をオン／オフする。即ち、ドライブ回路６６は、ＰＷＭコンパレータ６４のＰＷＭ出力がＨｉｇｈレベルのとき、ＮチャネルＭＯＳＦＥＴ６１に所定のゲート電圧を供給してＮチャネルＭＯＳＦＥＴ６１をオンにする。一方、ＰＷＭコンパレータ６４のＰＷＭ出力がＬｏｗレベルのとき、ＮチャネルＭＯＳＦＥＴ６１に所定のゲート電圧を供給せず、ＮチャネルＭＯＳＦＥＴ６１をオフにする。
【００６２】
ドライブ回路６６がこのようなＮチャネルＭＯＳＦＥＴ６１のオン／オフ制御即ちスイッチング制御動作を行うと、エラーアンプ６２の二入力端子間の電圧差がなくなるように降圧動作が行われることになる。そして、ＬＥＤ７を流れる電流は、基準電圧Ｖｒｅｆを抵抗Ｒ１で除した電流値に安定化される。
【００６３】
発振回路６５は、発振周波数低下回路９の制御により、例えば時定数を切換えて発振周波数を変更する。
【００６４】
最後に、本発明に係るＬＥＤ照明機器について説明する。本発明に係るＬＥＤ照明機器の構成例としては、図１〜図１２のいずれかのＬＥＤ駆動回路と、そのＬＥＤ駆動回路が駆動するＬＥＤ７とを備え、ＬＥＤ７に照明用ＬＥＤを用いる構成が挙げられる。このような構成によると、微灯モードでの消費電力が低いＬＥＤ照明機器を実現することができる。
【図面の簡単な説明】
【００６５】
【図１】は、本発明の第一実施形態に係るＬＥＤ駆動回路の構成を示す図である。
【図２】は、本発明の第二実施形態に係るＬＥＤ駆動回路の構成を示す図である。
【図３】は、本発明の第三実施形態に係るＬＥＤ駆動回路の構成を示す図である。
【図４】は、本発明の第四実施形態に係るＬＥＤ駆動回路の構成を示す図である。
【図５】は、本発明の第五実施形態に係るＬＥＤ駆動回路の構成を示す図である。
【図６】は、本発明の第六実施形態に係るＬＥＤ駆動回路の構成を示す図である。
【図７】は、本発明の第七実施形態に係るＬＥＤ駆動回路の構成を示す図である。
【図８】は、本発明の第八実施形態に係るＬＥＤ駆動回路の構成を示す図である。
【図９】は、本発明の第九実施形態に係るＬＥＤ駆動回路の構成を示す図である。
【図１０】は、本発明の第十実施形態に係るＬＥＤ駆動回路の構成を示す図である。
【図１１】は、本発明の第十一実施形態に係るＬＥＤ駆動回路の構成を示す図である。
【図１２】は、本発明の第十二実施形態に係るＬＥＤ駆動回路の構成を示す図である。
【図１３】は、内部の発振回路の発振周波数が変更可能な制御回路の一構成例を示す図である。
【図１４】は、内部の発振回路の発振周波数が変更可能なドライバの一構成例を示す図である。
【図１５】は、従来の照明用ＬＥＤ駆動回路の一構成例を示す図である。
【符号の説明】
【００６６】
１    ＮチャネルＭＯＳＦＥＴ
２、２’    制御回路
３    シャントレギュレータ
４    フォトダイオード
５    フォトトランジスタ
６、６’    ドライバ
７    ＬＥＤ
８、８Ａ〜８Ｄ    微灯モード検出回路
９、１０    発振周波数低下回路
１１    照度センサ
２１    ダイオード
２２    プルアップ抵抗
２３    発振回路
２４    基準電圧源
２５    ＰＷＭコンパレータ
２６    ドライブ回路
６１    ＮチャネルＭＯＳＦＥＴ
６２    エラーアンプ
６３    基準電圧源
６４    ＰＷＭコンパレータ
６５    発振回路
６６    ドライブ回路
Ｃ１    平滑コンデンサ
Ｃ２、Ｃ３    コンデンサ
Ｄ１、Ｄ２    ダイオード
ＤＢ１  ダイオードブリッジ回路
Ｌ１    コイル
Ｒ１〜Ｒ３    抵抗
Ｔ１    スイッチングトランス
【図１】
2009200146.tif 000003
【図２】
2009200146.tif 000004
【図３】
2009200146.tif 000005
【図４】
2009200146.tif 000006
【図５】
2009200146.tif 000007
【図６】
2009200146.tif 000008
【図７】
2009200146.tif 000009
【図８】
2009200146.tif 000010
【図９】
2009200146.tif 000011
【図１０】
2009200146.tif 000012
【図１１】
2009200146.tif 000013
【図１２】
2009200146.tif 000014
【図１３】
2009200146.tif 000015
【図１４】
2009200146.tif 000016
【図１５】
2009200146.tif 000017